【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】  被記録材の記録面を上にした状態で被記録材に記録を行う記録ヘッドと、該記録ヘッドの上流側に設けられ、被記録材をニップし且つ回転することにより、被記録材を前記記録ヘッドへ搬送する記録部上流側ローラと、前記記録ヘッドの下流側に設けられ、被記録材をニップし且つ回転することにより、記録の行われた被記録材を下流へ送る記録部下流側ローラと、を備えた記録部の下流側に設けられ、被記録材の記録面を内側にして被記録材を湾曲反転させることにより、被記録材の記録面を下にした状態で被記録材を排出するフェイスダウン排出経路を備えた被記録材排出装置であって、
前記フェイスダウン排出経路において湾曲反転経路を形成する、前記湾曲反転経路の外側に設けられる被記録材ガイド部材と、
前記湾曲反転経路の開始位置近傍に設けられ、被記録材の記録面と接して従動回転する従動ローラと、を備え、
前記従動ローラが、前記記録部によって主走査方向に波打つコックリング状態が形成された被記録材の、谷の部分に配置されている、
ことを特徴とする被記録材排出装置。
【請求項２】  被記録材の記録面を上にした状態で被記録材に記録を行う記録ヘッドと、該記録ヘッドと対向して設けられ、被記録材を下から支持するプラテンと、前記記録ヘッドの上流側に設けられ、被記録材をニップし且つ回転することにより、被記録材を前記記録ヘッドへ搬送する記録部上流側ローラと、前記記録ヘッドの下流側に設けられ、被記録材をニップし且つ回転することにより、記録の行われた被記録材を下流へ送る記録部下流側ローラと、主走査方向に所定の間隔を置いて複数設けられた前記記録部下流側ローラの間に設けられ、被記録材の記録面と接して従動回転する記録部補助ローラと、を備えた記録部の下流側に設けられ、被記録材の記録面を内側にして被記録材を湾曲反転させることにより、被記録材の記録面を下にした状態で被記録材を排出するフェイスダウン排出経路を備えた被記録材排出装置であって、
前記フェイスダウン排出経路において湾曲反転経路を形成する、前記湾曲反転経路の外側に設けられる被記録材ガイド部材と、
前記湾曲反転経路の開始位置近傍に設けられ、被記録材の記録面と接して従動回転する従動ローラと、を備え、
前記プラテンが、被記録材の搬送方向に延びるリブを、主走査方向に所定の間隔を置いて複数備え、
前記記録部下流側ローラが、主走査方向において前記リブの配設位置に配設され、
前記記録部補助ローラが、主走査方向において前記記録部下流側ローラの略中間位置に配設され、
前記従動ローラが、主走査方向において前記記録部補助ローラの配設位置に配設されている、
ことを特徴とする被記録材排出装置。
【請求項３】  請求項１または２において、前記従動ローラが、外周に歯を有する歯付きローラによって構成されている、
ことを特徴とする被記録材排出装置。
【請求項４】  請求項１から３のいずれか１項において、前記従動ローラが、前記記録部下流側ローラが被記録材をニップするニップ点における接線上または該接線より上側に設けられている、
ことを特徴とする被記録材排出装置。
【請求項５】  請求項１から４のいずれか１項において、前記従動ローラが、被記録材の記録面側に設けられる、前記記録部下流側ローラを回転可能に支持するフレーム部材への被記録材の接触を防止する様に成されている、
ことを特徴とする被記録材排出装置。
【請求項６】  請求項１から５のいずれか１項において、被記録材の記録面を上にした状態のまま被記録材を排出するフェイスアップ排出経路を備えている、
ことを特徴とする被記録材排出装置。
【請求項７】  被記録材にインク滴を吐出するインクジェット記録ヘッドを記録部に備えた記録装置であって、請求項１から６のいずれか１項に記載された前記被記録材排出装置を備えている、
ことを特徴とする記録装置。
【請求項８】  請求項７において、被記録材を斜め上方に搬送しながら記録を行う傾斜した被記録材搬送経路を備え、該傾斜した被記録材搬送経路上で被記録材にインクジェット記録を行う、
ことを特徴とする記録装置。
【請求項９】  被記録材の記録面を上にした状態で被記録材に記録を行う記録ヘッドと、
該記録ヘッドの上流側に設けられ、被記録材をニップし且つ回転することにより、被記録材を前記記録ヘッドへ搬送する記録部上流側ローラと、
前記記録ヘッドの下流側に設けられ、被記録材をニップし且つ回転することにより、記録の行われた被記録材を下流へ送る記録部下流側ローラと、
前記記録部下流側ローラの下流側に設けられ、被記録材の記録面を内側にして被記録材を湾曲反転させる湾曲反転経路と、
を備えた記録装置であって、
前記湾曲反転経路を形成する、前記湾曲反転経路の外側に設けられる被記録材ガイド部材と、
前記湾曲反転経路の開始位置近傍に設けられ、被記録材の記録面と接して従動回転する従動ローラと、を備え、
前記従動ローラが、前記記録部によって主走査方向に波打つコックリング状態が形成された被記録材の、谷の部分に配置されている、
ことを特徴とする記録装置。
【請求項１０】  被記録材の記録面を上にした状態で被記録材に記録を行う記録ヘッドと、
該記録ヘッドと対向して設けられ、被記録材を下から支持するプラテンと、
前記記録ヘッドの上流側に設けられ、被記録材をニップし且つ回転することにより、被記録材を前記記録ヘッドへ搬送する記録部上流側ローラと、
前記記録ヘッドの下流側に設けられ、被記録材をニップし且つ回転することにより、記録の行われた被記録材を下流へ送る記録部下流側ローラと、
主走査方向に所定の間隔を置いて複数設けられた前記記録部下流側ローラの間に設けられ、被記録材の記録面と接して従動回転する記録部補助ローラと、
前記記録部下流側ローラの下流側に設けられ、被記録材の記録面を内側にして被記録材を湾曲反転させる湾曲反転経路と、
を備えた記録装置であって、
前記湾曲反転経路を形成する、前記湾曲反転経路の外側に設けられる被記録材ガイド部材と、
前記湾曲反転経路の開始位置近傍に設けられ、被記録材の記録面と接して従動回転する従動ローラと、を備え、
前記プラテンが、被記録材の搬送方向に延びるリブを、主走査方向に所定の間隔を置いて複数備え、
前記記録部下流側ローラが、主走査方向において前記リブの配設位置に配設され、
前記記録部補助ローラが、主走査方向において前記記録部下流側ローラの略中間位置に配設され、
前記従動ローラが、主走査方向において前記記録部補助ローラの配設位置に配設されている、
ことを特徴とする記録装置。
【請求項１１】  請求項９または１０において、前記従動ローラが、前記記録部下流側ローラが被記録材をニップするニップ点における接線上または該接線より上側に設けられている、
ことを特徴とする記録装置。
【請求項１２】  被噴射媒体の被噴射面を上にした状態で被噴射媒体に液体噴射を行う液体噴射ヘッドと、
該液体噴射ヘッドの上流側に設けられ、被噴射媒体をニップし且つ回転することにより、被噴射媒体を前記液体噴射ヘッドへ搬送する液体噴射部上流側ローラと、
前記液体噴射ヘッドの下流側に設けられ、被噴射媒体をニップし且つ回転することにより、液体噴射の行われた被噴射媒体を下流へ送る液体噴射部下流側ローラと、を備えた液体噴射部と、
該液体噴射部の下流側に設けられ、被噴射媒体の被噴射面を内側にして被噴射媒体を湾曲反転させることにより、被噴射媒体の被噴射面を下にした状態で被噴射媒体を排出するフェイスダウン排出経路を備えた被噴射媒体排出部と、を備えた液体噴射装置であって、
前記フェイスダウン排出経路において湾曲反転経路を形成する、前記湾曲反転経路の外側に設けられる被噴射媒体ガイド部材と、
前記湾曲反転経路の開始位置近傍に設けられ、被噴射媒体の被噴射面と接して従動回転する従動ローラと、を備え、
前記従動ローラが、前記液体噴射部によって前記液体噴射ヘッドの移動方向に波打つコックリング状態が形成された被噴射媒体の、谷の部分に配置されている、
ことを特徴とする液体噴射装置。